(57)【要約】【課題】着用後の使い捨ておむつのタブ部が摘まれることを防止し、意図しない止着解除を防止する。【解決手段】止着テープ４は、本体部２の後方部２０３から幅方向に突出する略矩形のテープ基材４１、および、テープ基材４１上に取り付けられた止着部材４２を備える。テープ基材４１には、テープ幅方向の全長に亘ってテープ幅方向におよそ平行に伸びる弱化線４５が形成されている。使い捨ておむつ１を着用者に装着する際には、止着部材４２を本体部２の前方部２０１の外面に止着した後、介護士等によりテープ基材４１が弱化線４５に沿って切断され、タブ部４４が止着部４３から分離して止着テープ４から除去される。これにより、認知症の着用者等がタブ部４４を摘んで引っ張ることが防止される。その結果、意図しない止着テープ４の止着解除を防止することができ、使い捨ておむつ１が着用者から外れてしまうことを防止することができる。【選択図】図１
2011036554.tif 000002
【特許請求の範囲】
【請求項１】
使い捨ておむつであって、
前方部、股下部および後方部を長手方向に順に有し、バックシートとトップシートとの間に吸収コアが配置された略シート状の本体部と、
前記後方部の幅方向の両側に取り付けられ、前記前方部に止着される一対の止着テープと、
を備え、
前記一対の止着テープのそれぞれが、
前記前方部に対して止着可能な止着部と、
前記止着部よりも前記幅方向の外側に位置し、前記前方部に対して止着不能なタブ部と、
前記止着部と前記タブ部とを分離することにより前記タブ部を除去する分離構造と、
を備えることを特徴とする使い捨ておむつ。
【請求項２】
請求項１に記載の使い捨ておむつであって、
前記一対の止着テープのそれぞれが、
テープ基材と、
前記テープ基材上に取り付けられた止着部材と、
を備え、
前記止着部が、前記テープ基材と前記止着部材との積層部であり、
前記タブ部が、前記テープ基材のうち前記止着部材よりも前記幅方向の外側の部位であり、
前記分離構造が、前記テープ基材に形成された弱化線であることを特徴とする使い捨ておむつ。
【請求項３】
請求項２に記載の使い捨ておむつであって、
前記弱化線が、前記止着部材の外側のエッジと重なることを特徴とする使い捨ておむつ。
【請求項４】
請求項２または３に記載の使い捨ておむつであって、
前記テープ基材が伸びる方向に垂直なテープ幅方向全体に亘って、前記止着部材が前記テープ基材上に設けられることを特徴とする使い捨ておむつ。
【請求項５】
請求項１ないし４のいずれかに記載の使い捨ておむつであって、
前記一対の止着テープのそれぞれにおいて、前記後方部と前記タブ部との間の領域全体が前記止着部であることを特徴とする使い捨ておむつ。
【発明の詳細な説明】
【技術分野】
【０００１】
本発明は、使い捨ておむつに関する。
【背景技術】
【０００２】
従来より、使い捨ておむつとして、着用者の腹側に当接する部位と背側に当接する部位とを止着テープにより腰回りで止着して着用するテープタイプのものや、上端に胴部開口を有するとともに下部に一対の脚部開口を有するパンツタイプのものが利用されている。テープタイプの使い捨ておむつでは、着用者に使い捨ておむつを装着する介護士等がテープを摘んで止着しやすいように、止着テープの端部に（すなわち、面ファスナや粘着材の外側に）タブ部が設けられている。
【０００３】
一方、パンツタイプの使い捨ておむつは、外包材の腹側部の両側部と背側部の両側部とを重ねてシールすることによりパンツ型に形成される。特許文献１では、外包材の腹側部の側端部の内面を背側部の側端部の外面上に重ねた状態でシールすることにより、使い捨ておむつの左右両側においてサイドシール部が左右方向に突出することが防止される。その結果、認知症の着用者等がサイドシール部を摘んで引っ張ることによりサイドシール部が引き裂かれることが防止される。
【先行技術文献】
【特許文献】
【０００４】
【特許文献１】特開２００７−１９５７９２号公報
【発明の概要】
【発明が解決しようとする課題】
【０００５】
ところで、テープタイプの使い捨ておむつを認知症の着用者等に装着すると、着用者が止着テープのタブ部を摘んで引っ張ることにより、止着テープの止着が解除されて使い捨ておむつが着用者から外れてしまうおそれがある。
【０００６】
本発明は、上記課題に鑑みなされたものであり、着用後の使い捨ておむつのタブ部が摘まれることを防止し、意図しない止着解除を防止することを目的としている。
【課題を解決するための手段】
【０００７】
請求項１に記載の発明は、使い捨ておむつであって、前方部、股下部および後方部を長手方向に順に有し、バックシートとトップシートとの間に吸収コアが配置された略シート状の本体部と、前記後方部の幅方向の両側に取り付けられ、前記前方部に止着される一対の止着テープとを備え、前記一対の止着テープのそれぞれが、前記前方部に対して止着可能な止着部と、前記止着部よりも前記幅方向の外側に位置し、前記前方部に対して止着不能なタブ部と、前記止着部と前記タブ部とを分離することにより前記タブ部を除去する分離構造とを備える。
【０００８】
請求項２に記載の発明は、請求項１に記載の使い捨ておむつであって、前記一対の止着テープのそれぞれが、テープ基材と、前記テープ基材上に取り付けられた止着部材とを備え、前記止着部が、前記テープ基材と前記止着部材との積層部であり、前記タブ部が、前記テープ基材のうち前記止着部材よりも前記幅方向の外側の部位であり、前記分離構造が、前記テープ基材に形成された弱化線である。
【０００９】
請求項３に記載の発明は、請求項２に記載の使い捨ておむつであって、前記弱化線が、前記止着部材の外側のエッジと重なる。
【００１０】
請求項４に記載の発明は、請求項２または３に記載の使い捨ておむつであって、前記テープ基材が伸びる方向に垂直なテープ幅方向全体に亘って、前記止着部材が前記テープ基材上に設けられる。
【００１１】
請求項５に記載の発明は、請求項１ないし４のいずれかに記載の使い捨ておむつであって、前記一対の止着テープのそれぞれにおいて、前記後方部と前記タブ部との間の領域全体が前記止着部である。
【発明の効果】
【００１２】
本発明では、着用後の使い捨ておむつのタブ部が摘まれることを防止し、意図しない止着解除を防止することができる。
【図面の簡単な説明】
【００１３】
【図１】使い捨ておむつの平面図である。
【図２】使い捨ておむつの断面図である。
【図３】止着テープ近傍の部位を拡大して示す平面図である。
【図４】他の止着テープの例を示す図である。
【図５】他の止着テープの例を示す図である。
【図６】他の止着テープの例を示す図である。
【図７】他の止着テープの例を示す図である。
【発明を実施するための形態】
【００１４】
図１は、本発明の一の実施の形態に係る使い捨ておむつ１を広げた状態にて示す平面図である。使い捨ておむつ１は、着用者の腹側に当接する部位と背側に当接する部位とを、止着テープ４により腰回りで止着して着用するテープタイプの使い捨ておむつであり、着用者からの排泄物を受ける。図１では、着用時に着用者に接する側（すなわち、着用者側）の面を手前にして使い捨ておむつ１を描いている。
【００１５】
図２は、使い捨ておむつ１を図１中に示すＡ−Ａの位置で長手方向（すなわち、図１中における上下方向）に垂直な面で切断した断面図である。図１および図２に示すように、使い捨ておむつ１は、略シート状の本体部２、および、本体部２の両側部上（すなわち、図１および図２中における左右方向の両側）に配置されて本体部２の長手方向のおよそ全長に亘る一対のサイドシート３を備える。使い捨ておむつ１は、図１に示すように、本体部２の長手方向の一方の端部近傍において、本体部２の幅方向（すなわち、長手方向に垂直な方向）の両側に取り付けられた一対の止着テープ４をさらに備える。
【００１６】
本体部２の図１中における上側の部位２０１および下側の部位２０３はそれぞれ、着用者の腹側および背側の肌に接する部位であり、以下の説明では、「前方部２０１」および「後方部２０３」と呼ぶ。また、前方部２０１と後方部２０３との間において前方部２０１および後方部２０３から連続するとともに着用者の股間部に対向する部位２０２を「股下部２０２」と呼ぶ。使い捨ておむつ１では、本体部２が前方部２０１、股下部２０２および後方部２０３を長手方向に順に有し、前方部２０１および後方部２０３の幅が、股下部２０２の幅よりも大きくされる。また、一対の止着テープ４は、後方部２０３の幅方向の両側に取り付けられ、使い捨ておむつ１が着用者に装着される際には、前方部２０１の外面（すなわち、着用者に接する面とは反対側の面）に止着される。
【００１７】
図１および図２に示すように、本体部２は、トップシート２１、バックシート２３、および、トップシート２１とバックシート２３との間に配置された吸収コア２２を備える。図２では、図示の都合上、使い捨ておむつ１の各構成を離して描いている。また、図１では、図の理解を容易にするために、吸収コア２２の輪郭を太破線にて描いている。図１に示すように、前方部２０１および後方部２０３における吸収コア２２の幅は、股下部２０２における吸収コア２２の幅よりも大きい。換言すれば、吸収コア２２は、いわゆる砂時計型とされる。
【００１８】
図２に示すトップシート２１は、吸収コア２２の周りにおいてホットメルト接着剤を介してバックシート２３に接合される。また、サイドシート３の幅方向の外側の部位は、バックシート２３のトップシート２１から露出する部位、および、トップシート２１の幅方向のエッジ近傍の部位に、長手方向の全長に亘ってホットメルト接着剤を介して接合される。サイドシート３は、サイドシート本体３１、および、サイドシート本体３１の幅方向の内縁部にホットメルト接着剤により接合されて長手方向に伸びる弾性部材３２ａを備える。
【００１９】
図１に示す本体部２の長手方向の両端部では、各サイドシート３の幅方向の内側の部位（すなわち、本体部２の幅方向の中心軸側の部位）がホットメルト接着剤を介してトップシート２１の着用者側の面に接合される。また、サイドシート３の外縁近傍の部位では、長手方向に伸びる２本の弾性部材３２ｂが、サイドシート３とバックシート２３とに挟まれてホットメルト接着剤により接合されている。これらのホットメルト接着剤としては、ポリオレフィン系、ゴム系、酢酸ビニル系等のものが利用される。なお、トップシート２１とバックシート２３との接合やサイドシート３とトップシート２１との接合は、熱融着接合や超音波接合等により行われてもよい。
【００２０】
図１および図２に示す各サイドシート３では、長手方向の両端部の間における内側の部位３１３が、トップシート２１（および他の構成）とは非接合とされており、弾性部材３２ａが収縮することにより、当該部位３１３が、図２に示すように、着用者に向かって立ち上がり、着用者の脚の付け根近傍に当接する側壁部（いわゆる、立体ギャザー）となる。また、弾性部材３２ｂが収縮することにより、サイドシート３およびバックシート２３が着用者側かつ内側に向かって立ち上がってレッグギャザーが形成され、使い捨ておむつ１の着用時に着用者の足の付け根近傍に密着する。
【００２１】
図１に示すように、本体部２の長手方向の両端部にはそれぞれ、トップシート２１とバックシート２３とに挟まれるとともに幅方向に伸びる３本の弾性部材２５が設けられる。使い捨ておむつ１では、伸張状態にてトップシート２１およびバックシート２３に接合された弾性部材２５が収縮することによりウエストギャザーが形成され、使い捨ておむつ１の着用時に本体部２が着用者の腰回りに密着する。使い捨ておむつ１では、弾性部材３２ａ，３２ｂ、並びに、弾性部材２５により本体部２が着用者に密着することにより、脚周り、股間、腹側および背側からの尿等の漏出が防止される。
【００２２】
トップシート２１は、透液性のシート材料、例えば、親水性繊維により形成された不織布であり、着用者からの排泄物の水分を速やかに捕捉して吸収コア２２へと移動させる。トップシート２１として利用される不織布は、例えば、ポイントボンド不織布やエアスルー不織布、スパンレース不織布であり、これらの不織布を形成する親水性繊維としては通常、セルロースやレーヨン、コットン等が用いられる。なお、トップシート２１として、表面を界面活性剤により親水処理した疎水性繊維（例えば、ポリプロピレン、ポリエチレン、ポリエステル、ポリアミド、ナイロン）にて形成された透液性の不織布が利用されてもよい。
【００２３】
吸収コア２２は、粉砕したパルプ繊維やセルロース繊維等の親水性繊維に粒状の高吸収性ポリマー（ＳＡＰ（Super Absorbent Polymer））や高吸収性ファイバー等の高吸収性材料を混合したものをティッシュペーパーや透液性不織布等により包み込んで形成され、トップシート２１を透過した水分を吸収して迅速に固定する。親水性繊維を包むティッシュペーパーや透液性不織布等は、親水性繊維および吸水性材料とホットメルト接着剤により接合されて、親水性繊維の型崩れ、および、吸水性材料の脱落（特に、吸水後における脱落）を防止する。本実施の形態では、吸収コア２２はパルプ繊維およびＳＡＰを含む。
【００２４】
バックシート２３としては、疎水性繊維にて形成された撥水性または不透液性の不織布（例えば、スパンボンド不織布やメルトブロー不織布、ＳＭＳ（スパンボンド・メルトブロー・スパンボンド）不織布）や、撥水性または不透液性のプラスチックフィルム、あるいは、これらの不織布とプラスチックフィルムとが積層された積層シートが利用され、バックシート２３に到達した排泄物の水分等が、本体部２の外側にしみ出すことが防止される。バックシート２３にプラスチックフィルムが利用される場合、使い捨ておむつ１のムレを防止して着用者の快適性を向上するという観点からは、透湿性（通気性）を有するプラスチックフィルムが利用されることが好ましい。
【００２５】
サイドシート本体３１としては、疎水性繊維にて形成された撥水性または不透液性の不織布（例えば、スパンボンド不織布やメルトブロー不織布、ＳＭＳ不織布）が利用される。弾性部材３２ａ，３２ｂ，２５としては、例えば、ポリウレタン糸、帯状のポリウレタンフィルム、糸状または帯状の天然ゴム等が利用され、本実施の形態では、ポリウレタン糸が各弾性部材として利用される。
【００２６】
図１に示すように、止着テープ４は、本体部２の後方部２０３から幅方向に突出する略矩形のテープ基材４１、および、テープ基材４１上に取り付けられた止着部材４２を備える。止着部材４２は、テープ基材４１が伸びる方向に垂直なテープ幅方向（すなわち、図１中の上下方向であり、本体部２の長手方向に一致する。）全体に亘ってテープ基材４１上に設けられる。
【００２７】
使い捨ておむつ１では、テープ基材４１の幅方向の内側の端部が、サイドシート３とバックシート２３との間（トップシート２１とバックシート２３との間でもよい。）に挟まれて接合されることにより、止着テープ４が本体部２に取り付けられる。本実施の形態では、テープ基材４１として不織布が利用され、止着部材４２として面ファスナが利用される。
【００２８】
止着テープ４では、テープ基材４１と止着部材４２との積層部が、本体部２の前方部２０１に対して止着可能な止着部４３となっており、テープ基材４１のうち止着部材４２よりも幅方向の外側の部位が、止着部４３よりも幅方向の外側に位置するとともに本体部２の前方部２０１に対して止着不能なタブ部４４となっている。本実施の形態では、図１中の左右方向における止着部４３の幅（すなわち、止着部材４２の幅）は１０ｍｍ〜１００ｍｍとされ、タブ部４４の幅は５ｍｍ〜８ｍｍとされる。
【００２９】
また、テープ基材４１には、テープ幅方向の全体に亘ってテープ幅方向におよそ平行に伸びる弱化線４５が形成されており、弱化線４５は止着部材４２の外側のエッジ４２１とほぼ重なる。弱化線４５は、周囲の部位よりも切断抵抗が小さい線であり、本実施の形態では、それぞれがテープ基材４１を貫通するとともにテープ幅方向に伸びる複数の短いスリットがテープ幅方向に断続的に配列されたミシン目とされる。使い捨ておむつ１では、弱化線４５にて止着部４３とタブ部４４とが分離されることにより、タブ部４４が止着テープ４から除去可能とされる。止着テープ４では、弱化線４５が止着部４３とタブ部４４とを分離する分離構造となっている。
【００３０】
使い捨ておむつ１を着用者に装着する際には、まず、止着テープ４が本体部２の前方部２０１に止着されていない状態で、本体部２の前方部２０１および後方部２０３をそれぞれ着用者の腹側および背側に当接させる。続いて、一対の止着テープ４のそれぞれのタブ部４４が介護士や看護師等の作業者により摘まれ、各止着テープ４が着用者の腹側へと引き寄せられる。次に、止着部４３が本体部２の前方部２０１の外面に向けて押圧されることにより、止着部材４２が前方部２０１に止着される。その後、作業者により止着部４３が本体部２に向けて軽く押圧された状態で、タブ部４４のテープ幅方向の一方の端部が摘まれてテープ幅方向の他方に向けて引っ張られることにより、テープ基材４１が弱化線４５に沿って切断され、タブ部４４が止着部４３から分離して止着テープ４から除去される。あるいは、タブ部４４が作業者により摘まれ、本体部２に向けて軽く押圧されつつ本体部２の外面に沿って止着部４３から離れる方向に引っ張られることにより、テープ基材４１が弱化線４５に沿って切断され、タブ部４４が止着部４３から分離して止着テープ４から除去される。
【００３１】
使い捨ておむつ１の装着では、作業者が止着テープ４のタブ部４４を摘むことにより、止着テープ４を本体部２の前方部２０１に容易に止着することができる。また、止着テープ４の止着後にタブ部４４が止着テープ４から除去されることにより、乳幼児である着用者や認知症の着用者、あるいは、精神障害を有する着用者等が、着用後の使い捨ておむつ１のタブ部４４を摘んで引っ張ることが防止される。その結果、意図しない止着テープ４の止着解除を防止することができ、使い捨ておむつ１が着用者から外れてしまうことを防止することができる。なお、止着テープ４を引っ張らない着用者に使い捨ておむつ１を装着する際には、タブ部４４を除去する必要はない。
【００３２】
止着テープ４では、タブ部４４と止着部４３とを分離させる分離構造として、テープ基材４１に形成された弱化線４５が利用される。これにより、容易かつ低コストにて分離構造を止着テープ４に設けることができる。本実施の形態では、弱化線４５は、テープ幅方向に伸びる複数の短い貫通スリットがテープ幅方向に断続的に配列されたミシン目とされるが、弱化線４５では、複数の貫通スリットに代えて、複数の略円形の貫通穴がテープ幅方向に断続的に配列されてもよい。また、テープ基材４１の表面に、テープ幅方向の全長に亘る直線状であってテープ基材４１の厚さの半分程度の深さを有する切り込みが形成されることにより、弱化線４５が形成されてもよい。
【００３３】
また、止着テープ４では、弱化線４５が止着部材４２の外側のエッジ４２１と重なるため、タブ部４４全体を止着テープ４から除去することができ、その結果、着用者がタブ部４４を摘んで引っ張ることがより確実に防止される。なお、タブ部４４全体を除去できるように弱化線４５が止着部材４２のエッジ４２１と実質的に重なるのであれば、弱化線４５は止着部材４２のエッジ４２１から多少ずれていてもよい。例えば、止着部材４２のエッジ４２１よりも１ｍｍ程度外側に弱化線４５が形成されてもよい。
【００３４】
上述のように、止着テープ４では、止着部材４２がテープ幅方向全体に亘ってテープ基材４１上に設けられることにより、図１中における止着部材４２の上側および下側の部位を着用者が摘んで引っ張ることが防止される。その結果、意図しない止着テープ４の止着解除をより確実に防止することができる。
【００３５】
図３は、止着テープの他の好ましい例を示す図である。図３では、使い捨ておむつ１の一対の止着テープ４ａのうち、一方の止着テープ４ａ近傍の部位を拡大して示しており、他方の止着テープ４ａの構造も図３に示す止着テープ４ａと同様である。止着テープ４ａでは、タブ部４４と本体部２の後方部２０３との間の領域全体に亘って、止着部材４２がテープ基材４１上に設けられ、タブ部４４と本体部２の後方部２０３との間の領域全体が止着部４３となっている。
【００３６】
使い捨ておむつ１を装着する際には、上記と同様に、一対の止着テープ４ａのそれぞれにおいて、テープ基材４１が弱化線４５に沿って切断されてタブ部４４が除去される。これにより、着用者がタブ部４４を摘んで引っ張ることが防止される。また、止着テープ４ａの全面（すなわち、本体部２から突出している部位の全面）が本体部２に止着されるため、止着部４３と本体部２との間に着用者が指を挿入することが防止される。その結果、意図しない止着テープ４ａの止着解除をより確実に防止することができ、使い捨ておむつ１が着用者から外れてしまうことをより確実に防止することができる。
【００３７】
以上、本発明の実施の形態について説明してきたが、本発明は上記実施の形態に限定されるものではなく、様々な変更が可能である。
【００３８】
止着テープのテープ基材４１は不織布以外の材料により形成されてもよい。また、止着テープのタブ部４４と止着部４３とを分離する分離構造は、必ずしもテープ基材４１に形成された弱化線４５である必要はなく、他の態様の分離構造とされてもよい。
【００３９】
例えば、テープ基材４１がポリプロピレン等のプラスチックフィルムにより形成される場合、図４に示す止着テープ４ｂでは、止着部材４２の外側のエッジ４２１とおよそ重なる位置において、テープ幅方向に略平行に伸びる糸状または帯状の強化フィルム４６が、分離構造としてテープ基材４１のテープ幅方向全体に亘って接合される。止着テープ４ｂでは、強化フィルム４６の一方の端部を摘んで他方の端部側へと引っ張ることにより、テープ基材４１が強化フィルム４６の接合部に沿って切断され、タブ部４４が止着テープ４ｂから除去される。
【００４０】
また、図５に示す止着テープ４ｃでは、プラスチックフィルムにより形成されたテープ基材４１のテープ幅方向の両側のエッジに、切り欠き４６ａが分離構造として形成される。切り欠き４６ａは、止着部材４２の外側のエッジ４２１とおよそ重なる位置に形成されており、テープ基材４１がいずれか一方の切り欠き４６ａから止着部材４２のエッジ４２１におよそ沿って切り裂かれることにより、タブ部４４が止着テープ４ｃから除去される。
【００４１】
図６に示す止着テープ４ｄでは、第１基材４１１と第２基材４１２とが積層された２層構造のテープ基材４１ａが利用される。止着部材４２は、第１基材４１１の本体部２の後方部２０３から最も離れた位置に接合されており、第１基材４１１の止着部材４２が接合される面とは反対側の面には、第２基材４１２が熱融着接合や超音波接合、あるいは、ホットメルト接着剤による接着等により剥離可能に取り付けられる。第２基材４１２の一部は、止着部材４２の外側のエッジ４２１からさらに外側に突出しており、当該突出する部位が止着テープ４ｄのタブ部４４となっている。止着テープ４ｄでは、第２基材４１２を第１基材４１１から剥離することによりタブ部４４が除去される。すなわち、テープ基材４１ａにおける第１基材４１１と第２基材４１２との積層構造が、止着部４３とタブ部４４とを分離する分離構造となっている。
【００４２】
止着テープの止着部材は、面ファスナ以外の様々な部材であってもよい。例えば、粘着材により形成された粘着材層が止着部材としてテープ基材４１上に設けられてもよい。弱化線等の分離構造は、粘着材層の外側のエッジよりも内側にて粘着材層に重なって設けられてもよく、この場合、タブ部４４と共に粘着材層の一部が除去される。
【００４３】
止着テープでは、必ずしも止着部材４２がテープ基材４１上に取り付けられる必要はなく、例えば、止着テープ全体が面ファスナにより形成されてもよい。この場合、面ファスナの外側の端部において不織布等に係合するフック構造が潰される等して、本体部２の前方部２０１に対して係合不能であるタブ部４４が形成され、タブ部４４と本体部２の後方部２０３との間の領域全体が止着部４３となる。
【００４４】
上記実施の形態では、使い捨ておむつ１に一対の止着テープが設けられるが、二対以上の止着テープが設けられてもよい。また、止着テープの形状は、必ずしも略矩形には限定されず、例えば、図７の止着テープ４ｅに示すように、略矩形のベース部４７から２つの突出部４８が突出する形状とされてもよい。止着テープ４ｅでは、各突出部４８に止着部材４２が設けられ、突出部４８のうち止着部材４２の外側が部位がタブ部４４となる。
【符号の説明】
【００４５】
１    使い捨ておむつ
２    本体部
４，４ａ〜４ｅ    止着テープ
２１    トップシート
２２    吸収コア
２３    バックシート
４１，４１ａ    テープ基材
４２    止着部材
４３    止着部
４４    タブ部
４５    弱化線
４６    切断フィルム
４６ａ    切り欠き
２０１    前方部
２０２    股下部
２０３    後方部
４１１    第１基材
４１２    第２基材
４２１    エッジ
【図１】
2011036554.tif 000003
【図２】
2011036554.tif 000004
【図３】
2011036554.tif 000005
【図４】
2011036554.tif 000006
【図５】
2011036554.tif 000007
【図６】
2011036554.tif 000008
【図７】
2011036554.tif 000009